【事件の表示】
　特願２００１−１７１９２４「吐出ガン用カートリッジ装填具」拒絶査定不服審判事件〔平成１４年１２月１８日出願公開、特開２００２−３６２６５０〕について、次のとおり審決する。
【結　論】
　本件審判の請求は、成り立たない。
【理　由】
１．手続の経緯
　本件は、平成１３年６月７日に特許出願した特願２００１−１７１９２４号について、平成１６年１月１５日に早期審査に関する事情説明書が提出された後、平成１６年６月２９日付けで拒絶の査定がなされたところ、同査定を不服として、拒絶査定不服審判の請求がなされたものであり、当審において平成１８年８月１１日付けで拒絶理由が通知され、平成１８年８月３０日付け手続補正書により明細書の補正がなされ、さらに当審において、平成１８年９月２６日付けで拒絶理由が通知されたものである。
　
２．　平成１８年９月２６日付けで通知した拒絶理由について
　当審で通知した拒絶の理由は、特願平１１−３５９７７２号（特開２００１−１７０５３６号公報　参照）を引用して、段落番号【００２８】に、「尚、本実施形態では、キャップ３の袋収納部３５の外周部を、筒部１の内周部に入れるようにしているが、この形態のものに限らず、例えば図９に示すように袋収納部３５の基端側に、筒状の筒接続部５を延設し、この筒接続部５内に筒部１の外周を入れるようにしても良い。又、この場合には、袋収納部３５の内周面と筒部１の内周面とを略同径にして両者を略面一にするようにして段差防止部を形成すれば良い。尚、この袋収納部３５の基端側に筒接続部５を延設する場合も、上記と同様に、袋体２を収納したキャップ３を筒部１から押し出すことによって、図１０に示すようにキャップ３を、袋体２を収納した状態で筒部１から外し、キャップ３に収納した袋体２を手で摘む等して取り出す。」と記載されること及び図９を指摘して、本願の請求項１，２に係る発明は、特願平１１−３５９７７２号の願書に最初に添付された明細書又は図面（以下、「先願明細書等」という。）に記載された発明と同一であるので、特許法第２９条の２の規定により特許を受けることができないとするものである。
　
３．当審の判断
３−１　本願各発明
　本願請求項１、２に係る発明は、平成１８年８月３０日付け手続補正書により補正された以下のとおりのものである。
【請求項１】カートリッジを装填するための円筒体、円筒体の先端部外側に嵌合するノズル取付用キャップ、後端部内側に進退を可能にして装入した押圧環とからなり、両端部を結束させたソーセージ型のカートリッジ内の充填物を吐出ガンを用いて吐出させるためのカートリッジ装填具において、キャップの内壁に円筒体の肉厚と略等しい幅を有する小径段部を周方向に形成し、この段部の前方のキャップ周壁の内径を段部の内径と略同一にして折り畳まれたカートリッジフィルムの収納部とした吐出ガン用カートリッジ装填具。
【請求項２】キャップ周壁の先端側の内径をわずかに小さくして先細りのテーパー壁とした請求項１に記載の吐出ガン用カートリッジ装填具。
　
３−２　先願明細書等の記載。
　拒絶の理由に引用された先願明細書等の記載を特開２００１−１７０５３６号公報に基づいて検討すると、段落番号【０００２】に、「【従来の技術】従来より、コーキング剤、・・等々の流動性を有する内容物を収納して吐出し易くした器具として、押し出し器が用いられている。この押し出し器は、流動性を有する内容物を収納する筒部と、筒部の先端側に設けられた吐出口を有するキャップと、筒部の基端側に設けられた押圧部とを備え、押圧部を押圧して圧力を加えることによって、筒部内の内容物を吐出口から吐出するようにしたものである。・・流動性を有する内容物を柔軟性のある袋体に収容し、この袋体の先端側に開口出口を形成するようにして筒部内に交換可能に収納し、押圧部を押圧して・・吐出口から吐出させた後、内容物を吐出し終えた袋体を取り出して、袋体を廃棄できるようにしている。しかしながら、袋体を筒部内に交換可能に収納するようにした従来の押し出し器においては、内容物を吐出し終えた袋体が、筒部内に残ってしまう。そのため、キャップを筒部から外しても、袋体を取り出すのが困難である。又、袋体を筒部から取り出す場合には、袋体の先端側を手で摘んで筒部から取り出す場合には、袋体の先端側には内容物が付着しているため、手に内容物が付着してしまうという課題がある。」と記載されており、
　袋体を装填するための筒部、筒部の先端の吐出口を有するキャップ、筒部の基端側に進退を可能にして装入した押圧部とからなる押し出し器に関し、袋体の充填物を吐出させた後の袋体の取り出しに係る課題
が先願明細書等に記載されている。
　同課題を前提に、先願明細書等の段落番号【００１２】に、「本願発明の押し出し器は、筒部１と、筒部１内に収納された袋体２と、筒部１１の先端側に着脱自在に配位された吐出口３１を有するキャップ３と、筒部１の基端側に設けられた押圧部材４とを備えている。・・」と記載され、図面に記載されるキャップ３の着脱は、所謂嵌合によりなされるものと解され、加えて、押圧部材４が進退可能であることは自明の事項であるので、先願明細書等には、
記載事項１
　袋体２を装填するための筒部１、筒部１の先端部に嵌合する吐出口３１を有するキャップ３、基端側内側に進退を可能にして装入した押圧部材４
が記載されるものと認める。
　さらに先願明細書等の段落番号【００１３】に、「筒部１は、・・内容物を吐出する吐出力によって変形しない剛性を備えた材料によって構成されている。筒部１の形状は、断面が円形の丸筒を図示した・・この押し出し器は、筒部１をシリンダとして、押圧部４をピストンとして、筒部１内に収納した袋体２内の内容物を押し出すものであるため、押圧部４の移動区間は、筒部１の内径を一定としており、本実施形態では、筒部１の全長に渡って内径を一定としている。」と、段落番号【００１４】に、「袋体２は、図２に示すように、内部にコーキング剤やシーリング剤等の内容物が収容され、押圧部４に加えられる力によって、内容部がキャップ３の吐出口３１から吐出する。この袋体２は、筒部１の内径と略同一の外径を有するもので、先端と基端とが閉鎖具２７、２７にて閉じられている。・・」と、段落番号【００１８】に、「押圧部材４は、内容物の押し出しのための押圧力を受けて筒部１内を移動することによって内容物を押し出すものであり、・・押圧部４１は、袋体２の基端側に当接して袋体２を基端側から押圧する部分をなすもので、先端側の面が袋体２の基端面に当接し、基端側の面が吐出用ガン等の押圧用器具７（図６に示す）の押引杆７３に接して力を受ける。・・」
と記載されており、図２には、両端部を結束させたソーセージ型の袋体２が図示されている。
　これら記載を総合すると、先願明細書等には、
記載事項２
　両端部を結束させたソーセージ型の袋体２内のコーキング剤やシーリング剤等の内容物を押圧用器具７を用いて吐出させるための吐出用ガン等の押し出し器
が記載されるものと認める。
　さらに、段落番号【０００６】に、「【課題を解決するための手段】本願発明は、以下の特徴を有する押し出し器を提供することにより上記課題を解決する。本願第１の発明は、筒部１と、筒部１の先端側に着脱自在に配位されたキャップ３とを備える。筒部１内には、内容物を収納した柔軟性を有する袋体２が備えられる。キャップ３の先端側には、吐出口３１が備えられ、キャップ３の基端側には、袋収納部３５が備えられ、この袋収納部３５に、内容物を吐出して減容した袋体２が収納されてキャップ３と共に筒部１から取り出され得るようになされたものである。・・」と、段落番号【００２８】に、「尚、本実施形態では、キャップ３の袋収納部３５の外周部を、筒部１の内周部に入れるようにしているが、この形態のものに限らず、例えば図９に示すように袋収納部３５の基端側に、筒状の筒接続部５を延設し、この筒接続部５内に筒部１の外周を入れるようにしても良い。又、この場合には、袋収納部３５の内周面と筒部１の内周面とを略同径にして両者を略面一にするようにして段差防止部を形成すれば良い。尚、この袋収納部３５の基端側に筒接続部５を延設する場合も、上記と同様に、袋体２を収納したキャップ３を筒部１から押し出すことによって、図１０に示すようにキャップ３を、袋体２を収納した状態で筒部１から外し、キャップ３に収納した袋体２を手で摘む等して取り出す。」と、段落番号【００２６】に、「更に、袋体２が押圧されて内容物が袋体２内から出ていくと、図４(B) に示すように、押圧部材４の押圧に伴って、袋体２の皺状部２ａ…２ａが折り重なって袋収納部３５に押し込まれていく。・・」と記載されているので、先願明細書等には、
記載事項３
　筒部１の先端部外側にキャップ３を嵌合させ、キャップ３の袋収納部３５に筒状の筒接続部５を延設し、この筒接続部５の前方の袋収納部３５の内周面と筒部１の内周面とを略同径にして、袋体２の皺状部２ａ…２ａが折り重なって袋収納部３５に収納される袋収納部３５押圧用器具７用の押し出し器
が記載されるものと認める。
　したがって、記載事項１〜３より、先願明細書等には、以下の発明が記載されるものと認める。
　袋体２を装填するための筒部１、筒部１の先端部外側に嵌合する吐出口３１を有するキャップ３、基端側内側に進退を可能にして装入した押圧部材４とからなり、
　両端部を結束させたソーセージ型の袋体２内のコーキング剤やシーリング剤等の内容物を押圧用器具７を用いて吐出させるための押し出し器において、
　キャップ３の袋収納部３５に筒状の筒接続部５を延設し、この筒接続部５の前方の袋収納部３５の内周面と筒部１の内周面とを略同径にして袋体２の皺状部２ａ…２ａが折り重なって収納する袋収納部３５とした押圧用器具７用の押し出し器
の発明が先願明細書等に記載されるものと認める。
　
　なお、先願明細書等には、筒部１の先端部内側に嵌合する吐出口３１を有するキャップ３を用いて、キャップの内壁に筒部１の肉厚と略等しい内径に漸減する段差防止部(38)を周方向に形成し、この段差防止部(38)の前方のキャップ周壁の内径を段差防止部(38)の内径と連続にして折り畳まれた袋体２を収納する部分とことも記載されているが、上記認定の妨げとなるものではなく、さらに、先願明細書等には、袋体２の先端部を押圧して係止する係止手段、内容物逆流防止手段に係る記載もあるが、同記載から独立した技術として、上記発明を認定することは可能である。
　
４−２−２　対比判断
　ここで、本件請求項１に係る発明と、先願明細書等に記載される発明とを対比すると、先願明細書等に記載される「袋体２」、「筒部１」、「吐出口３１を有するキャップ３」、「基端側」及び「押圧部材４」は、それぞれ、内容物を収納・吐出に係る機能及び配置からみて、本件請求項１に係る発明の「カートリッジ」、「円筒体」、「ノズル取付用キャップ」、「後端部」及び「押圧環」に相当するものと認められ、両発明は、
　カートリッジを装填するための円筒体、円筒体の先端部外側に嵌合するノズル取付用キャップ、後端部内側に進退を可能にして装入した押圧環とからなり、両端部を結束させたソーセージ型のカートリッジ内の充填物を吐出ガンを用いて吐出させるためのカートリッジ装填具
に係る発明である点で差異はなく、さらに検討すると、先願明細書等に記載される発明が「袋収納部３５の内周面と筒部１の内周面とを略同径にして両者を略面一にするようにして」なる構成を有することは、同発明の袋収納部３５の基端側に延設される筒状の筒接続部５は、筒部１のキャップ３の袋収納部３５の基端側に筒状に延設しされることに加えて、袋収納部３５の内周面と筒部１の内周面とを略同径にして両者を略面一にするようにしていることを意味するので、筒部１の肉厚と略等しい幅を有する小径段部を周方向に形成することは明らかである。さらに、先願明細書等に記載される「皺状部２ａ…２ａ」は、折り畳まれた状態と認められるので、両発明とも、
　キャップの内壁に円筒体の肉厚と略等しい幅を有する小径段部を周方向に形成し、この段部の前方のキャップ周壁の内径を段部の内径と略同一にして折り畳まれたカートリッジフィルムの収納部とした吐出ガン用カートリッジ装填具
である点においても差異はない。
　したがって両発明は同一の発明ということが可能である。
　
　そして、特願平１１−３５９７７２号は、本件出願の日前の特許出願であって、本件出願の出願後に出願公開がされたものであり、しかも、両出願の発明者は同一ではなく、しかも、両出願人も同一ではないので、本件請求項１に係る発明は、特許法第２９条の２の規定により特許を受けることができない。
　
４．むすび
　以上のとおり、本件請求項１に係る発明は、特許法第２９条の２の規定により特許を受けることができないものである以上、残余の請求項に係る発明について検討するまでもなく、本願は、当審において、平成１８年９月２６日付けで通知した理由により拒絶すべきものである。
　よって、結論のとおり審決する。